(57)【要約】      （修正有）【課題】軸受の電食を低減可能なアキシャルギャップ型永久磁石同期電動機を提供する。【解決手段】軸を中心に回転する２つの回転子２０と、２つの回転子で軸方向に挟むように配置された固定子３０と、軸受１３と、固定子を絶縁樹脂で固定するケースハウジング４０と、軸受を保持し固定子および回転子を全閉するエンドブラケット１２と、エンドブラケットの軸方向端部に配置されたファン１０と、ファンの軸方向端面と接触するブラシ３と、を有し、ファンの軸方向端面は銅を含む合金で構成され、ブラシは炭素を含み、さらにファンの軸方向端面にブラシを加圧する加圧機構を有する。【選択図】図１
2015050798.tif 000002
【特許請求の範囲】
【請求項１】
軸を中心に回転する２つの回転子と、
前記２つの回転子で前記軸方向に挟むように配置された固定子と、
軸受と、
前記固定子を絶縁樹脂で固定するケースハウジングと、
前記軸受を保持し前記固定子および前記回転子を全閉するエンドブラケットと、
前記エンドブラケットの軸方向端部に配置されたファンと、
前記ファンの軸方向端面と接触するブラシと、を有し、
前記ファンの軸方向端面は銅を含む合金で構成され、
前記ブラシは炭素を含み、
さらに前記ファンの軸方向端面に前記ブラシを加圧する加圧機構を有することを特徴とするアキシャルギャップ型永久磁石同期電動機。
【請求項２】
請求項１記載のアキシャルギャップ型永久磁石同期電動機において、
前記ファンは、前記回転子の軸が前記エンドブラケットの外に突出した突出軸にファン取付部を介して取り付けられており、
前記ファンの軸方向端面は、前記ファン取付部の軸方向端面である、
ことを特徴とするアキシャルギャップ型永久磁石同期電動機。
【請求項３】
請求項１または２のいずれか１項に記載のアキシャルギャップ型永久磁石同期電動機において、
前記ブラシを保持するブラシホルダは、前記ブラシに接続された接続線であるピグテールを摺動可能に保持する溝を設けていることを特徴とするアキシャルギャップ型永久磁石同期電動機。
【請求項４】
請求項１または２のいずれか１項に記載のアキシャルギャップ型永久磁石同期電動機において、
前記加圧機構は、前記ブラシを保持するブラシホルダに配置されていることを特徴とするアキシャルギャップ型永久磁石同期電動機。
【請求項５】
請求項１から４のいずれか１項に記載のアキシャルギャップ型永久磁石同期電動機において、
前記ブラシを保持するブラシホルダは、前記ファンを保護する目的で取り付けられたファンカバーにネジによって保持される構造であり、前記ブラシに接続された接続線であるピグテールを介して前記ブラシとファンカバーが電気的に導通状態となるように接続されていることを特徴とするアキシャルギャップ型永久磁石同期電動機。
【請求項６】
請求項１から４のいずれか１項に記載のアキシャルギャップ型永久磁石同期電動機において、
前記ブラシを保持するブラシホルダは、前記ファンを保護する目的で取り付けられたファンカバーと一体で形成される構造であり、前記ブラシに接続された接続線であるピグテールを介して前記ブラシとファンカバーが電気的に導通状態となるように接続されていることを特徴とするアキシャルギャップ型永久磁石同期電動機。
【請求項７】
請求項１から４のいずれか１項に記載のアキシャルギャップ型永久磁石同期電動機において、
前記ブラシを保持するブラシホルダは、前記ファンを保護する目的で取り付けられたファンカバーにネジによって保持される構造であり、かつ導電性の金属材料で構成されており、
前記ブラシとファンカバーが電気的に導通状態となるように接続されていることを特徴とするアキシャルギャップ型永久磁石同期電動機。
【請求項８】
請求項１から４のいずれか１項に記載のアキシャルギャップ型永久磁石同期電動機において、
前記ブラシを保持するブラシホルダは、前記ファンを保護する目的で取り付けられたファンカバーと一体で形成される構造であり、かつ導電性の金属材料で構成されており、
前記ブラシとファンカバーが電気的に導通状態となるように接続されていることを特徴とするアキシャルギャップ型永久磁石同期電動機。
【請求項９】
請求項５から８のいずれか１項に記載のアキシャルギャップ型永久磁石同期電動機において、
前記ファンカバーは前記ケースハウジングに取付ボルトによって接続されており、
前記回転子の軸と前記ケースハウジングが接地電位となることを特徴とするアキシャルギャップ型永久磁石同期電動機。
【請求項１０】
請求項１から９のいずれか１項に記載のアキシャルギャップ型永久磁石同期電動機において、
前記固定子は、固定子鉄心、固定子巻線、巻線ボビンからなり、
前記固定子鉄心は鉄基アモルファス金属で構成されていることを特徴とするアキシャルギャップ型永久磁石同期電動機。
【発明の詳細な説明】
【技術分野】
【０００１】
本発明は軸方向にギャップを有するアキシャルギャップ型永久磁石同期電動機の構造に関する。
【背景技術】
【０００２】
近年、産業用機器や家電品、自動車部品などにおいて、省エネルギー化の必要性が重要視されるようになってきた。現在、国内の火力、水力、原子力、風力などの発電所において作られる電気のほとんどは、電磁応用製品である回転電機（発電機）によって作られている。また、国内で使用される電力使用量のうちの半分以上は、回転電機の駆動によって消費されている。
【０００３】
これらの回転電機などの電磁応用製品では、鉄心部に軟磁性材料が用いられており、この鉄心部の損失を低減することが、これらの製品の高効率化を実現する手段となっている。
【０００４】
また、別の効率向上策としては、磁力の高い永久磁石を用いることにより、所定電流当たりのマグネットトルクを増加させて必要トルクを低い電流で得られるようにして、電流による導体のジュール熱による損失（銅損）を低減する手段がある。永久磁石モータの高効率化の方法として、ネオジム焼結磁石などの強力な磁石を実装する方法が考えられる。しかし、このような磁石に使用される材料は、世界でも限られた産地でしか採掘されない希少金属が含まれているため、環境問題や、価格の高騰などの問題を有している。
【０００５】
そこで、代替方法として、従来から大量に生産されているフェライト磁石を用いて高効率化を実現する必要性が増してきた。フェライト磁石を用いる場合のモータ高効率化手法として、特開２０１０−１１５０６９号公報（特許文献1）が挙げられている。特許文献１では、永久磁石モータに使用する鉄心の軟磁性材料に、低損失なアモルファスを用いるために、アキシャルギャップ型のモータとし、さらに、銅損を低減するために永久磁石のボリュームを増やす構造として、軸方向の２面を回転子とする構成のモータが提案されている。
【先行技術文献】
【特許文献】
【０００６】
【特許文献１】特開２０１０−１１５０６９号公報
【発明の概要】
【発明が解決しようとする課題】
【０００７】
上記の特許文献1のモータは、永久磁石同期モータであるために、その駆動にはインバータを用いる必要がある。しかし、特許文献1では、インバータ駆動による軸受電食について考慮されていない。
【０００８】
軸受電食とは、軸受の腐食現象であり、下記のようなメカニズムで発生するものである。すなわち、軸受外輪がケーシングに接触し、軸受内輪がモータ回転軸に接触している構造では、インバータを使用する場合に回転軸の電圧変動が発生するため、モータ回転軸とケーシングとの電位差が軸受の内外輪間に発生する。電位差が軸受油膜の絶縁耐力以上となった時、油膜絶縁破壊により軸受電流が流れる。軸受電流は電食（金属間に電流が流れることにより、電荷を失った金属原子がイオンとして溶け出すことで金属が腐食する現象）の原因となり、軸受寿命を短くする。
【０００９】
したがって、軸受内外輪間に発生する電圧や放電時電流、また、その前段階としてモータの軸電圧低減が必要となる。
【００１０】
モータの軸電圧は、インバータのスイッチング状態において発生する巻線中性点電圧（コモンモード電圧と呼ばれる）と同期した電圧が軸に発生するものである。この軸電圧の発生原因は、巻線から回転子軸までの経路間が電気抵抗や静電容量によって電気的に結合されていることから発生するものである。
【００１１】
特許文献1の低損失なアモルファス鉄心を固定子鉄心に利用した二つの回転子を有するアキシャルギャップモータにおいては、固定子の鉄心が複数に分かれており、その鉄心の断面形状が軸方向に同一の断面形状を有する構造となっており、その鉄心の周りに固定子鉄心の外周面と相似形状の内周面を有する固定子巻線が配置される。このため、巻線の軸方向端部では、固定子巻線と回転子磁石、または回転子鉄心部分がギャップを介して向き合って配置される構造となり、静電容量を大きくする構造となってしまう。
【００１２】
また、固定子鉄心は、固定子の中で複数個の鉄心がそれぞれ独立して保持される構造となり、ハウジングなど、接地電位と電気的に結合しにくい構造となる。このため、巻線と軸の電気的結合度が下がり軸電圧が高くなるという課題がある。軸電圧が高くなると、前述のように軸受油膜の絶縁耐力よりも上回ってしまうために、軸受部での放電がおこりやすくなり、軸受電食が発生し、故障までの期間が短くなってしまう可能性がある。
【課題を解決するための手段】
【００１３】
上記課題を解決するために、例えば特許請求の範囲に記載の構成を採用する。本発明は上記課題を解決する手段を複数含んでいるが、その一例を挙げるならば、軸を中心に回転する２つの回転子と、前記２つの回転子で前記軸方向に挟むように配置された固定子と、軸受と、前記固定子を絶縁樹脂で固定するケースハウジングと、前記軸受を保持し前記固定子および前記回転子を全閉するエンドブラケットと、前記エンドブラケットの軸方向端部に配置されたファンと、
前記ファンの軸方向端面と接触するブラシと、を有し、前記ファンの軸方向端面は銅を含む合金で構成され、前記ブラシは炭素を含み、さらに前記ファンの軸方向端面に前記ブラシを加圧する加圧機構を有する。
【発明の効果】
【００１４】
本発明によれば、軸電圧を低減できるアキシャルギャップ型永久磁石同期電動機を提供できる。
【図面の簡単な説明】
【００１５】
【図１】実施例１におけるアキシャルギャップ型永久磁石同期電動機の軸後端部に配置されるブラシとブラシホルダの位置関係を示す断面図である。
【図２】実施例１のブラシとブラシホルダ、ネジの構造を示す斜視図である。
【図３】実施例１のアキシャルギャップ型永久磁石同期電動機のモータ部の構造を示す斜視図である。
【図４】実施例１のアキシャルギャップ型永久磁石同期電動機の固定子鉄心の構造を示す斜視図である。
【図５】実施例１のアキシャルギャップ型永久磁石同期電動機の固定子と回転子、ケースハウジングとの位置関係を示す斜視図である。
【図６】本実施例のアキシャルギャップ型永久磁石同期電動機の固定子と回転子、ハウジングとの位置関係を示す断面図である。
【図７】従来の一般的ラジアルギャップモータの固定子と回転子、ハウジングとの位置関係を示す断面図である。
【図８】インバータの基本概念図を示す図である。
【図９】インバータの各スイッチング状態におけるコモンモード電圧を説明する図である。
【図１０】モータの各構成部品を電気的な静電容量や抵抗が結合した単純モデルとして表した等価回路図である。
【図１１】実施例４のアキシャルギャップ型永久磁石同期電動機を産業用途に応用した例を示す図である。
【図１２】実施例２におけるアキシャルギャップ型永久磁石同期電動機の軸後端部に配置されるブラシとブラシホルダの位置関係を示す断面図である。
【図１３】実施例３におけるアキシャルギャップ型永久磁石同期電動機の軸後端部に配置されるブラシとブラシホルダの位置関係を示す断面図である。
【発明を実施するための形態】
【００１６】
以下、本発明の実施例を図面を用いて説明する。
【実施例１】
【００１７】
図６は、アキシャルギャップ型永久磁石同期電動機の構成を断面図で示したものである。図６において、３１は固定子鉄心、３２は固定子巻線であり、これらで構成される固定子が絶縁樹脂で充填されてケースハウジング４０に固定されている。また、回転子ヨーク２２と永久磁石２４によって構成される２つの回転子がモータのシャフト（軸）１９方向に固定子を挟む形で配置される。また、ケースハウジング４０に結合されたエンドブラケット１２に配置された軸受を構成するベアリング１３で回転子が回転可能に保持されている。
【００１８】
また、図７に従来型のラジアルギャップ型永久磁石同期電動機の断面図を示す。
【００１９】
永久磁石同期電動機は、 エネルギーの有効利用の観点から、ポンプ、送風機などのモータを用いるアプリケーションで需要に応じた最適なトルク、回転数をインバータによって制御しながら運転することが一般的となっている。インバータの基本概念図を図８に示す。なお、モータ部分については、中性点を示しやすいために巻線をスター結線として記述している。なお、デルタ結線とスター結線は相互に変換可能であるため、スター結線を仮定しても一般性を失わない。
【００２０】
インバータ装置は、商用電源を直流に変換するコンバータ部、コンバータの脈動電圧を平滑する平滑回路、そして高周波でのスイッチング動作により単位時間当たりの平均相電圧を任意に変化させる(狭義の)インバータ部分とから構成される。理想的な対称三相平衡電圧を仮定すると、モータの中性点の電圧は時間とともに変化せず一定である。インバータ装置により生成された交流電圧はモータの各相に対称三相平衡電圧として与えられるが、実際のインバータ装置においては、インバータ部分は、基本的にON/OFF動作しか行なわないため、巻線中性点電圧は一定値にはならず、常に変動する。この電圧のことはコモンモード電圧と呼ばれる。モータの軸電圧はこのコモンモード電圧に起因して発生する。
【００２１】
図９に各スイッチング状態におけるコモンモード電圧を示す。なお、図９において、簡単のためパワー半導体素子はスイッチとして記述した。ここで、平滑回路両端電圧をE、平滑回路中央を設置点とすると、各スイッチング状態におけるコモンモード電圧は図示するようにE/2、E/6、-E/6、-E/2を取り得る。
【００２２】
巻線中性点電位からアースに至る経路は２つ存在する。一つは巻線→固定子鉄心→ケースハウジングであり、もう一方は巻線→固定子鉄心→回転子鉄心→シャフト→軸受→エンドブラケット→ケースハウジングである。これらの経路は電気的には静電容量や抵抗が結合したものとして表せる。抵抗は非常に小さいために無視し、最も単純にモデル化した等価回路を図１０に示す。ここで、Cwrは巻線と回転子（ロータ）間静電容量、Crfはロータとケースハウジング間静電容量、Cbはベアリング内外輪間の静電容量である。なお、ベアリングは複数個存在するが、簡単のため合成容量として記載している。
【００２３】
全体電圧に対する軸電圧の比（Bearing Voltage Ratio 以降BVRと略す）は以下の式（１）のように表わす事ができる。
BVR＝ Cwr/(Cwr＋Crf＋Cb )        …（１）
コモンモード電圧をEcpと置くと、軸電圧のピーク電圧Vspは以下の式（２）のようになる。
Vsp＝BVR × Ecp                  …（２）
コモンモード電圧Ecpは前述のとおりインバータの動作により決まるため、軸電圧はBVRに比例して発生することがわかる。このため、モータ各部が作る静電容量および軸受の静電容量が小さい方がBVRを小さくできることがわかる。
【００２４】
モータ各部が作る静電容量は、２つの導電体が絶縁物を介して対向していれば、そこにコンデンサが形成される。コンデンサの容量は、コンデンサを形成する導体の形状や、２つの導体の配置関係などの幾何学的要素で決まる。すなわち、対抗する面積に比例し、その距離に反比例する式であらわすことができる。
【００２５】
図６に示すアキシャルギャップ型永久磁石同期電動機の場合においては、固定子巻線と回転子の面、固定子巻線とケースハウジング間の対向面積が大きく、Cwrの静電容量が大きくなることがわかる。反面、図７に示すラジアルギャップ型永久磁石同期電動機に関しては、固定子３０はケースハウジング４０に接続されてゼロ電位（接地）となっており、Cwrが小さくなることがわかる。このため、アキシャル型のBVRはラジアル型に比べ数倍から数十倍と大きくなる。このため、軸電圧は通常のインバータ駆動のラジアル型モータに比べて高くなり、数十ボルトの電圧が軸に現れることになる。そこで、高い電圧が現れることによって、ベアリング油膜での放電が発生し、電食を引き起こすことになる。
【００２６】
そこで、その軸に発生した電位をゼロ電位（接地）側におとすための手段として、アースブラシによる接地を行う。通常のラジアル型では、軸電圧が高くても数Ｖ程度しか発生しないため、しっかりと軸とブラシを接触させて接触部の電気抵抗を小さくする必要があった。そのために、接触部の接触面積を大きく確保することや、ブラシの押付け圧力を高く設定する必要があり、機械摩擦によるモータ効率の低下や、ブラシの摩耗による寿命低下などに問題があり、実際の製品にはほとんど採用されていない。
【００２７】
本実施例のアキシャルギャップ型永久磁石同期電動機においては、軸電圧が数十ボルト発生するため、接触抵抗が小さくてもブラシ接触部に確実に電流が流れることになるため、接触面積は小さくても良く、また、摩擦や摩耗は小さいが抵抗値の高いカーボンブラシでも構成することができる。また、接触圧力も低くすることができるので、摩耗量を小さく抑えることが出来、ブラシの交換を行うことなく産業用のモータに適用可能である。
【００２８】
図１に、本実施例のアキシャルギャップ型永久磁石同期電動機の軸後端部に配置されるブラシとブラシホルダの位置関係を示す断面図を示す。図１（ａ）が拡大図、図１（ｂ）が全体図である。図１において、ケースハウジング４０に取付ボルトによって接続されるファンカバー1の中央部には、円筒状のブラシホルダ２を取付けるための穴が配置されている。その穴は、皿ネジ６のネジ頭部が突出しないようにテーパ状となっており、皿ネジ６を締めることで、円筒状のブラシホルダ２を固定する構造となっている。ブラシホルダ２の中央部分には、図示の左側部にはネジで固定するためのネジ穴が構成されており、右側部には、ブラシ３を配置するための、ブラシ外形形状に合わせた溝形状で、ブラシを軸方向に摺動可能に保持する溝が構成されている。また、皿ネジの先端部と、ブラシ後端部の間には、圧縮バネ７を配置し、ブラシを軸方向モータ側へ（図面上は右側方向へ）加圧する加圧機構を有する。このブラシは、炭素を主材料として圧縮成形された素材で構成される。
【００２９】
図２に、ブラシとブラシホルダ部分の構造の斜視図を示す。図２（ａ）は、ブラシ３の構造を示している。ブラシ３は、略四角形断面を有し、その先端部はセレーション部１５と呼ばれる溝が形成されている。これは、ブラシと摺動面の初期の接触性を向上させるために初期接触面積を少なくするための形状である。また、このブラシ３の一面には、 撚り線導体の接続線４（ここでは以降ピグテールと呼ぶ）が溶接によって固定されている。また、このピグテールの先端には丸型圧着端子５が接続される構造となっている。この丸型圧着端子５は、前述の皿ネジ６によって、ファンカバー１とブラシホルダ２の間に配置されてネジで締付固定される構造である。
【００３０】
図２（ｂ）に、ブラシホルダ２の概略構造を内部を透過して示した斜視図を示す。本実施例では、円筒状のブラシホルダ２の中央部分に、ブラシ３を配置するための略四角形断面を持つブラシ保持溝１８と、その反対側には、圧縮バネ７を配置するための円筒部およびネジ部であるネジ穴１７を有している。また、円筒の周方向の一部には、ピグテール４を通すための切り欠き溝１６を設けた構造となっている。このブラシホルダ２にピグテール付きのブラシ３を挿入配置し、圧縮バネ７を挿入した状態で、金属などの導電体のファンカバー１と丸型圧着端子を皿ネジ６によってネジ固定する構造でブラシ３が保持される。ブラシ３自身は、圧縮バネ７によってモータ軸方向に飛び出す方向に加圧されるが、ピグテール４によって飛び出ていかないように保持される構造を持つ。
【００３１】
なお、ブラシホルダ２は、皿ネジ６によってファンカバー１と固定することで、現状のファンカバーを流用できるという効果があるが、これに限定されず、例えば、ブラシホルダ２とファンカバー１が一体構造でも良い。一体構造とすることで、組み立てが簡単になるという効果がある。
【００３２】
図１において、ブラシ先端部が接触するモータの軸端部には、モータのハウジングを冷却するためのファンとしてラジアルファン１０を設けている。このラジアルファン１０は、モータの軸１９のエンドブラケット部から反出力側に突出する構造の軸部分に固定され、エンドブラケット１２に配置された軸受を構成するベアリング１３で回転可能に保持されている。ラジアルファン１０の軸への固定は、軸の回転方向一部にキー溝を有し、このキー溝部分にキー１１を挿入して回転方向にすべらないように軸に固定され、さらに、ラジアルファンを軸方向におさえる円筒状のカラー９を設け、そのカラー９を６角頭、または、２面を面取りした形状の頭を持つネジ８で締め付けて軸方向の軸への固定を行う構造となっている。
【００３３】
図２（ｃ）に、ラジアルファンを軸へ取り付ける取付部であるネジ８の構造を示す。ネジ８の頭部分の軸方向端面は、平坦な面を有し、その面粗さは鏡面状態とする。また、このネジ頭は、真鍮など銅を含む合金で構成されている。この平坦面に前述のブラシ先端部が圧縮バネによって加圧されながら押しつけられる構造とし、その接触部は、回転摩擦が低い状態で摺動する構造とする。モータの軸１９は、回転子２０とキー溝を配置して回転方向に固定され、回転子押さえナット２１によって軸方向に固定配置される。この実施例での回転子２０は、バックヨーク２３と永久磁石２４を有する構造としている。
【００３４】
以上の構造により、軸電圧が発生した場合においても、軸からファン締結用ネジ、および、ブラシ、ピグテールを介して金属製ファンカバー、ファンカバーの取付ボルト、ケースハウジングと導電部材を介して電流が接地電位方向に流れるため、ベアリング油膜を破壊する軸受電食の発生を抑えることができる。
【００３５】
図３に、本実施例のアキシャルギャップ型永久磁石同期電動機のモータ構造の斜視図を示す。アキシャルギャップ型永久磁石同期電動機は、軸方向中央部に配置される一つの固定子３０と、その軸方向両端部に配置され、固定子と円形の面で対抗した磁石面を有する回転子２０を有する構造となっている。
【００３６】
回転子２０は、磁性体で構成される回転子ヨーク２２に円環状の永久磁石２４を接着剤などの固定方法を用いて一体として構成される。永久磁石２４は、円環状の一体リング磁石を用いても良いが、大きさの関係上などで製作が困難な場合は、複数に分割された磁石を組み合わせて円環状として使用しても良い。
【００３７】
また、この永久磁石２４は、周方向にＮ極とＳ極が互い違いに配置されるように着磁されて構成される。その極数は、図３で示す本実施例では１４極である場合を示している。一極あたりの形状は、周方向に等角度、同一断面積となるよう、扇形での形状となる。本実施例では、扇形の開き角度は、３６０／１４度で約２５．７度となっている。
【００３８】
通常、３相の永久磁石同期電動機では、モータの回転子の極数と固定子極（スロット）の関係は、２：３となることが一般的である。磁石モータの１極対は磁石のＮ極とＳ極が一つの対となって構成される。３相モータの場合は、この１対の極対の中に、３相分の巻線が配置される構成となるため、２つの磁石極と３つの固定子極の関係となる。本実施例では、固定子極数が１２と１２スロットでありながら、磁石極が１４極として構成しており、固定子へのアモルファス金属適用による鉄損低減が期待できるため、多極化が実現できる構成である。また、多極化することにより、誘起電圧定数（トルク定数）の増加が見込まれる。このような組合せは他にも複数あり、１２スロットの場合に、２：３の関係では８極となるところを、１０極も採用することができる。スロット数が９の場合には、本来６極であるところを、８極、１０極の採用が可能である。
【００３９】
本実施例の回転子磁石では、フェライト焼結磁石を表面に配置する構造としている。この理由は、固定子と対抗する面を全て磁石として構成する表面磁石型を構成する場合、固定子巻線からの磁束や、固定子コアのスロット配置による高調波等によって磁石表面に渦電流の発生が問題となるために導電性金属磁石を採用すると効率を著しく低下させてしまうことが理由である。このため、本実施例のアキシャルギャップ型永久磁石同期電動機の回転子磁石に採用できる磁石は、希土類ボンド磁石、フェライト焼結磁石、フェライトボンド磁石、フェライトゴム磁石などが適している。
【００４０】
次に固定子の構造について図３を用いて説明する。図３の軸方向中央部に示す固定子は、周方向に扇形の断面を持つ固定子鉄心３１を複数個、周方向に等間隔で配置する。その固定子鉄心３１の周囲には、プラスチック、有機材料などの絶縁部材で構成される巻線ボビン３３を配置し、その巻線ボビンの周囲を扇形鉄心の外周と相似の形状に導体を巻いた固定子巻線３２が配置される形状となっている。巻線の導体の材質は通常は銅が使用されることが一般的であるが、アルミニウムなどの比重の軽い線材を使用することも可能である。その理由は、価格が安いことなどの効果があることに加え、固定子コアと巻線ボビン、巻線が周方向にばらばらになって配置されているため、これらを保持するのには、樹脂を含浸させて固定するモールドモータとする構造を採用するため、樹脂の接着強度で鉄心や巻線の自重を支えられるように軽量化することが必要となるからである。したがって、アルミニウムの導体にポリエステルやアミドイミド、ウレタンなどのエナメル被覆をコーティングしたアルミ導体エナメルマグネットワイヤなどの使用も効果的と考えられる。
【００４１】
個々の固定子鉄心３１の周囲に巻線された固定子巻線３２は、巻き始めと巻き終わりの線があるため、図１に示した固定子鉄心の数１２個では、２４本の端末線が引き出される。そのまま、２４本引き出し線として処理しても良いのであるが、後の接続処理を考えるとなるべく少ない数が望ましい。本実施例では、巻線の巻線２個を連続で巻線することによって、隣り合う２個の巻線から引き出し線を２本としている例を図示している。このため、最終的に引き出される線は１２本となっている。引き出された線は、通常は、細い導体をより線として構成されるビニル被覆電線３６と接続してモータの端子箱に結線される。モータ巻線のマグネットワイヤとビニル被覆電線３６の接続には、リングスリーブ３５を採用し、カシメ、溶接などによりそれぞれの線をリングスリーブ３５に接続する構造としている。接続後は、その接続箇所の被覆がむき出しになっている箇所に絶縁物を塗布し、空気や水分と導体部が触れない構造としている。
【００４２】
次に固定子鉄心の構造とその製作方法について図４を用いて説明する。固定子鉄心は、鉄基アモルファス金属箔帯を用いて構成するものである。これは、鉄基アモルファス金属の損失は、他の磁性材料に比べて大幅に低く、かつ、透磁率が高いためである。透磁率が高いことは、フェライト磁石のような比較的低い磁界強度しか得られない磁石を用いる場合であっても、他の磁性材料に比べると高い磁束密度を得られることを意味する。鉄基のアモルファス金属の他にこのような透磁率の高い材料として、パーメンジュール、鉄基のナノクリスタル金属のような材料も適用効果があると考えられる。このような材料は、比較的板厚が薄く、金属自体の硬度が高いために、加工が困難であり、従来のモータなどへの応用が困難である。
そこで、その鉄心を図４（ａ）に示すような構造として比較的容易に作成できるようにした。図３で示したような断面が扇形となる鉄心を得るために、幅方向を一定の幅とする鉄基アモルファス金属箔帯を図４（ａ）の図面下部の方から徐々に幅が広くなっていき、最終部では少し切断幅を狭く戻してその形を形成する構造とする。この積み重ねたアモルファス箔帯は、このままではばらばらであるため、図４（ｂ）に示す形状の巻線を巻くための絶縁性の巻線ボビン３３の中に挿入して保持することで固定子鉄心として構成する。
【００４３】
次にモータの固定子、回転子とケースハウジングの関係を図５を用いて説明する。ケースハウジング４０は基本的に円筒の形状となる。その円筒内側に固定子３０と回転子２０を配置する構造となる。固定子３０は、ケースハウジング４０の軸方向中央部に配置され、ケースハウジング４０と固定子鉄心３１、固定子巻線３２、巻線ボビン３３の間の空間を埋めるように絶縁樹脂が充填されて一体のケース付き固定子となる。固定子３０は樹脂の接着強度で保持されるのであるが、この樹脂が経年劣化などでわずかな重量減少を引き起こした場合にも、固定子がケースから外れることが無いように、ケースハウジング４０の内側には段差を設けて固定子の軸方向に外れない、また、回転方向一部に切り欠きなどの溝、または突起を設け、回転方向にも回転しないような構造とする。
巻線からの発熱は樹脂を介してケースハウジング４０に伝わり、伝熱してモータが冷却されるので、樹脂の厚みがあまり厚くならないようにすることが望ましい。また、冷却するためにケースハウジング４０にフィン構造を追加して放熱面積を拡大し、外側空気との熱交換を向上させることも有効な手段となる。
【００４４】
以上、説明したように、本実施例のアキシャルギャップ型永久磁石同期電動機は、固定子鉄心に低損失な鉄基アモルファス箔帯を使用することで、モータの効率を高くすることができる。現在、産業用の誘導モータは、２次電流による２次銅損などが発生するため、効率は国際電気標準会議（ＩＥＣ）で決められた規格値のＩＥコードでＩＥ３のレベルまでしか対応できない。本実施例のアキシャルギャップ型永久磁石同期電動機では、磁石の渦電流は発生せず、鉄損、銅損とも低く抑えたモータを設計できるため、ＩＥコードのＩＥ４以上のモータ効率を実現することが可能となる。
以下に、本実施例の構成をまとめて言い換える。アキシャルギャップ型永久磁石同期電動機の固定子鉄心を鉄基アモルファス金属で構成し、その固定子鉄心は、鉄基アモルファス金属箔帯を切断して積層するだけのシンプルな製造方法を用いて作成され、その固定子鉄心を保持する部材に保持される固定子鉄心構造を有する。
また、固定子巻線を構成する導体は、固定子鉄心の外周形状と相似形状の内周形状を有し、固定子鉄心と固定子巻線とケースハウジング内周部とを樹脂で一体化接着する構造とする。樹脂で接着する構造であるため、固定子巻線、固定子鉄心は、電気的に接合されない絶縁構造となる。
回転子は、固定子の軸方向二面が磁石と対抗する構造として配置し、ケースハウジングに結合された軸受保持エンドブラケットの軸受を介して回転可能に構成される。これらのモータとしての構造は、前述のケースハウジングと、軸方向両端部の軸受を保持するエンドブラケットで覆われる構造とし、固定子および回転子が全閉されて外部の雰囲気にさらされないような構成とする。これにより、ブラシの摺動による摩耗粉等の影響を避けることが出来る。
【００４５】
さらに、回転子軸の出力側は、通常のモータのようにトルクに応じた既定の軸径の軸が出力軸として突出する構造とする。また、反出力側は、同様に回転子の軸から後端部軸受保持エンドブラケットの外に軸が突出する構成として、その突出軸には、送風用のファンを取り付ける構造とする。そのファン形状は、軸方向後ろ側から吸気した空気を径方向に流すラジアルファン形状を採用し、径方向に流れた空気を軸方向に送るために設けられたファンカバーで覆われる構造とする。
【００４６】
ファンの取付部であるネジの軸後端部は、銅を含む合金で構成し、その軸方向端面を鏡面加工でできるだけ凹凸の無い状態とする。ファンカバーの中央部には、炭素を含む材料のブラシを保持するブラシホルダを配置し、その中にバネによって軸方向に移動可能でかつ、モータの軸端部に向かって押付け力を有するブラシが配置されて、その先端は軸端部の銅を含む合金部に接触する構造とする。
【００４７】
以上のように、本実施例によれば、アキシャルギャップモータで、固定子巻線と回転子磁石、回転子鉄心の対向面積が大きく、また、そのギャップ距離が小さくて、固定子巻線と回転子間の静電容量が大きくなる場合において、コモンモード電圧に同期した軸電圧が高くなる状況下においても、その軸電圧が発生した瞬間に、ブラシからファンカバー、ケースハウジングを介して接地電位に電流を流して軸電圧を接地電位とすることができるため、軸受部での油膜部分の絶縁耐力が低くても、軸受電食を発生させないという効果が得られる。
この際、アキシャル型モータにおいては、軸電圧が数十ボルト発生するため、接触抵抗が小さくても、ブラシ接触部に確実に電流が流れることになるため、ブラシの接触面積は小さくてよく、また、接触圧力も低くすることができる。また、抵抗値は高いが摩耗量が少ないカーボンブラシでも構成することができる。このため、産業用のモータ寿命に関しても交換を行うことなく寿命を全うできる製品の構成が可能となる。
【００４８】
また、ファンカバーの中央部に配置するブラシホルダによって、周速度の小さい部分でのブラシ摺動となるため、ブラシの摩耗を軽減でき、また、銅と炭素の摺動により安定した接触状態を長期間にわたり維持することが可能となるため、産業用途の製品寿命や、低コスト化を実現することが可能である。
【００４９】
また、固定子に鉄基アモルファスを採用することでのモータ鉄心部分の低損失化が可能であり、低損失化によりモータの効率を高められることと、長寿命化が実現できる。
【００５０】
以上のように、本実施例では、アキシャルギャップ型永久磁石同期電動機の軸電圧低減対策を実現でき、高効率、かつ、高信頼性（寿命向上）を実現するとともに、構造を複雑にせず低価格な構成とし、低コストで高効率な回転電機を提供することが出来る。
【実施例２】
【００５１】
図１２を用いて実施例２について説明する。図１２は、本実施例のアキシャルギャップ型永久磁石同期電動機の軸後端部に配置されるブラシとブラシホルダの位置関係を示す図である。図１２（ａ）がモータの軸後端部の拡大図、図１２（ｂ）が軸後端部追加シャフト２５の図、図１２（ｃ）がブラシと軸後端部追加シャフト２５の関係を示す図、図１２（ｄ）がブラシホルダ２７を示す図である。
【００５２】
図１２（ａ）に示すように、アキシャルギャップ型永久磁石同期電動機の後端部シャフトの先端部分中央には、軸穴加工、または、ネジ穴を配置する構造とし、その穴部に、図１２（ｂ）に示すような軸後端部追加シャフト２５を圧入、またはネジ締結によって固定配置する。この軸後端部追加シャフト２５は、真鍮など、Cuを含む合金で構成され、シャフト表面は、表面粗さが0.3以上の鏡面加工されるシャフトである。このシャフトの周方向面に対して、図１２（ｃ）に示すように、１８０度対向させて２つのブラシ２６が接触するように配置され、そのブラシ２６は、例えば図１２（ｄ）に示すようにブラシホルダ２７によって保持される構造とする。ブラシホルダ２７は、ブラシの外周面を覆う部分を有し、径方向にブラシが摺動可能に保持できる構造となる。その摺動可能なブラシ２６を、ブラシホルダ中心部に向かって押しつけるような力が働くように、バネ６１を配置し、そのバネによってブラシ２６が、前述の軸後端部シャフト２５に向かって押しつけられて配置される構造となる。このブラシホルダ２７は、ネジ穴６０などを利用して、ファンカバー１に取り付けられる構造となっている。
実施例１で示した構造では、ブラシとの摺動面が軸の中央部分であるために、摩擦部分が小さく、摩耗が少ないが、第２の実施例では、ある程度シャフトを細くしたり、押付けのためのバネ力を弱くしたりしても、実施例１よりは摩耗が発生しやすいと考えられる。しかし、本実施例におけるブラシホルダ２７は、ファンカバーへの取付構造が容易で、ネジだけでブラシホルダ２７毎の取り換えが容易な構造としている。また、ブラシホルダは、導電性の金属材料で構成することにより、実施例１のようなブラシから接続されるピグテールをアース電位の部品に接続する手間を無くすことができる。
【実施例３】
【００５３】
図１３を用いて実施例３について説明する。本実施例では、ブラシの磨耗粉対策構造を施した例を示す。図１３（ａ）がモータの軸後端部の拡大図、図１３（ｂ）がブラシホルダを示す図である。図１３（ａ）において、ブラシホルダの内周部に、リング状のシール材６３を配置し、その磨耗粉が、ブラシホルダの外に排出しないように構成することが可能となる。シール材６３は、実施例１においても配置の仕方を変更することで適用可能である。このシール材によって磨耗粉はブラシホルダの内部にブラシ摺動面隙間部に保持される構造となるため、充分な隙間を配置するか、Ｏリングなどのシール材で囲まれる領域に溜まったブラシ粉を保持するための領域（たとえば穴６４など）を設ける構造とする。これにより、ブラシの磨耗粉が、ブラシ摺動面に入りこんで、摺動を阻害して接触しなくなるなどの不具合を防止することができる。
【実施例４】
【００５４】
図１１に、本実施例のアキシャルギャップ型永久磁石同期電動機を産業用途に応用した例を示す。
産業用途のモータは比較的容量が大きく、電力使用量が大きいため、その省エネ効果も大きい。本実施例のアキシャルギャップ型永久磁石同期電動機は前述したとおり、ＩＥＣのＩＥコードのＩＥ４以上を実現できるため、その電力使用量低減効果が大きい。また、ポンプ、ファンなどは薄型化が望まれているため、設置面積の縮小にも貢献できる。図１１（ａ）は薄型ポンプ４５と本実施例のアキシャルギャップ型永久磁石同期電動機５０を実装した産業用ポンプを示す。図１１（ｂ）は本実施例のアキシャルギャップ型永久磁石同期電動機５０と薄型ファン４６を構成する場合の模式図を示す。また、薄形が望まれる用途として、エレベータの巻上機がある。図１１（ｃ）に巻上機の例を示す。ロープを巻きつけるシーブからなる巻上機４７とアキシャルギャップ型永久磁石同期電動機５０とが薄く構成される必要があるため、本実施例のアキシャルギャップ型永久磁石同期電動機が適している。
【００５５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることも可能である。
【符号の説明】
【００５６】
１…ファンカバー、  ２…ブラシホルダ、  ３…ブラシ、  ４…ピグテール、  ５…丸型圧着端子、  ６…皿ネジ、  ７…圧縮バネ、  ８…ネジ、  ９…ファン押さえカラー、１０…ラジアルファン、１１…キー、１２…エンドブラケット、１３…ベアリング、１５…セレーション溝、１６…切り欠き溝、１７…ネジ穴、１８…ブラシ保持溝、１９…シャフト(軸)、２０…回転子、２１…回転子押さえナット、  ２２…回転子ヨーク、２３…バックヨーク、２４…永久磁石  ３０…固定子、    ３１…固定子鉄心、  ３２…固定子巻線、  ３３…巻線ボビン、  ３４…接続亘り線、  ３５…リングスリーブ、３６…ビニル被覆電線、４０…ケースハウジング、４５…ポンプ、４６…ファン、４７…巻上機、５０…アキシャルギャップ型永久磁石同期電動機。
【図１】
2015050798.tif 000003
【図２】
2015050798.tif 000004
【図３】
2015050798.tif 000005
【図４】
2015050798.tif 000006
【図５】
2015050798.tif 000007
【図６】
2015050798.tif 000008
【図７】
2015050798.tif 000009
【図８】
2015050798.tif 000010
【図９】
2015050798.tif 000011
【図１０】
2015050798.tif 000012
【図１１】
2015050798.tif 000013
【図１２】
2015050798.tif 000014
【図１３】
2015050798.tif 000015